(57)【要約】無線セルラ・ネットワークのセルの無線カバレッジ・ゾーンの中の移動局の測位の方法は、移動局がアップリンク送信リソースをどの時間間隔中に割り当てられたかを示す第１の時間シーケンスを構築するステップ（５０）と、リモート・アンテナごとに、このリモート・アンテナによって同時に受信されたアップリンク送信の総出力強度を示す第２の時間シーケンスを構築するステップ（５４）と、第１の時間シーケンスと、第２の時間シーケンスの少なくとも１つとを相関させるステップであって、第１の時間シーケンスおよび第２の時間シーケンスは時間的に同期されるステップと、相関の結果から移動局を測位するステップ（５３）とを備える。
2011517375.tif 000002
【特許請求の範囲】
【請求項１】
無線セルラ・ネットワークのセルの無線カバレッジ・ゾーンの中の移動局の測位の方法であって、前記セルは複数の分散リモート・アンテナを有する基地局を備え、前記リモート・アンテナはそれぞれ、前記セルの中のそれぞれの無線カバレッジ・ゾーンを定義し、前記方法は、
前記移動局が前記セルラ・ネットワークを介して送信するためにアップリンク送信リソースをどの時間間隔中に割り当てられたかを示す第１の時間シーケンスを構築するステップ（５０）と、
リモート・アンテナごとに、このリモート・アンテナによって同時に受信されたアップリンク送信の総出力強度を示す第２の時間シーケンスを構築するステップ（５４）と、
前記第１の時間シーケンスと、前記第２の時間シーケンスの少なくとも１つとを相関させるステップであって、前記第１の時間シーケンスおよび第２の時間シーケンスは時間的に同期されるステップと、
前記相関の結果から前記移動局を測位するステップ（５８）と
を備える方法。
【請求項２】
前記移動局の位置は、前記第２の時間シーケンスが前記第１の時間シーケンスと最も相関している前記リモート・アンテナによって定義された前記無線カバレッジ・ゾーンを選択すること（６４）により得られる、請求項１に記載の方法。
【請求項３】
前記移動局の位置は、特定の分散リモート・アンテナの無線カバレッジ・ゾーンより厳密に小さい解像度によって移動局の位置を得るために、前記対応する相関結果を有する前記それぞれ異なるリモート・アンテナの位置の加重の結果として生じる、請求項１に記載の方法。
【請求項４】
無線セルラ・ネットワークのセルの無線カバレッジ・ゾーンの中の移動局の測位のシステムであって、前記セルは複数の分散リモート・アンテナを有する基地局を備え、各前記リモート・アンテナは前記セルの中のそれぞれの無線カバレッジ・ゾーンを定義し、前記システムに、
前記移動局が前記セルラ・ネットワークを介して送信するためにアップリンク送信リソースをどの時間間隔中に割り当てられたかを示す第１の時間シーケンスを構築することができるアップリンク割当モニタ（４２）と、
−  リモート・アンテナごとに、このリモート・アンテナによって同時に受信された前記アップリンク送信の総出力強度を示す第２の時間シーケンスを構築することができるアップリンク出力モニタ（４０）と、
前記第１の時間シーケンスと、前記第２の時間シーケンスの少なくとも１つとの間の相関の結果から前記移動局を測位することができる位置測定ユニット・エージェント（４４）であって、前記第１の時間シーケンスおよび第２の時間シーケンスは時間的に同期される位置測定ユニット・エージェント（４４）と
を備えるシステム。
【請求項５】
移動局（３６）と、
複数の分散リモート・アンテナ（３０〜３４）を有する分散アンテナ・システム（７）であって、各リモート・アンテナは無線カバレッジ・セルの無線カバレッジ・ゾーンを定義する分散アンテナ・システム（７）と、
前記無線カバレッジ・セルを定義する基地局（６）であって、前記基地局はローカル・ネットワークを介して前記リモート・アンテナ（３０〜４０）にリンクされた少なくとも１つのトランシーバ（２）を有し、前記トランシーバ（２）は、前記セルラ・ネットワークを介して受信されたデータを前記リモート・アンテナにマルチキャストまたはブロードキャストすることができ、その結果、全く同じデータが前記複数のリモート・アンテナ（３０〜３４）によって無線で送信される基地局（６）と
を備える無線セルラ・ネットワークであって、
前記無線セルラ・ネットワークは、前記移動局が前記セルラ・ネットワークを介して送信するためにアップリンク送信リソースをどの時間間隔中に割り当てられたかを示す第１の時間シーケンスを構築することができるアップリンク割当モニタ（４２）を備え、
各リモート・アンテナ（３０〜３４）は、そのアンテナによって同時に受信された前記アップリンク送信の前記総出力強度を示す第２の時間シーケンスを構築することができるアップリンク出力モニタ（４０）を備え、
前記ネットワークは、前記第１の時間シーケンスと、前記第２の時間シーケンスの少なくとも１つとの間の相関の結果から前記移動局を測位することができる位置測定ユニット・エージェント（４４）であって、前記第１の時間シーケンスおよび第２の時間シーケンスは時間的に同期される位置測定ユニット・エージェント（４４）を備える、
無線セルラ・ネットワーク。
【発明の詳細な説明】
【技術分野】
【０００１】
本発明は、セルの無線カバレッジ・ゾーンの中の移動局の測位の方法およびシステム、ならびにこのシステムを実装する無線セルラ・ネットワークに関する。
【背景技術】
【０００２】
無線セルラ・ネットワークでは、基地局は無線カバレッジ・セルを定義する。
【０００３】
以下では、ＣＤＭＡ(符号分割多元接続)、ＧＳＭ(グローバル移動体通信システム)、またはＵＭＴＳ(ユニバーサル移動電気通信システム)ネットワークのような無線セルラ・ネットワークでは一般的な専門用語を使用する。
【０００４】
複数の分散リモート無線アンテナに接続された基地局が存在し、各リモート・アンテナはセル内のそれぞれの無線カバレッジ・ゾーンを定義する。そのような基地局は、１つの建物またはいくつかの建物において屋内セルラ無線カバレッジを保証するために有用である。この目的のために、例えば、リモート・アンテナは、建物のそれぞれ別のフロアに配置される。通常、これらのリモート・アンテナは、ローカル・ネットワークを介して同じトランシーバに接続され、その結果、移動局は複数の物理的に分離された無線アンテナから同じ信号を受信する。同じ信号のこれらの複数のコピーは移動局によってそれらがあたかも無線反射であるかのように扱われる。
【０００５】
そのようなセルの特定のゾーンの中の移動局を測位することが必要である場合もある。この目的のために、移動局の位置は、データアップリンク送信時に測定された時間オフセットを使用して判定することができる。アップリンク送信は移動局から基地局へのデータ送信であることが想起される。逆に、ダウンリンク送信は基地局から移動局へのデータ送信である。
【０００６】
そのような測位方法は実施するのが容易でなく、分散リモート・アンテナの数が小さいままである、すなわち１０より低い場合にしか機能しない。
【０００７】
分散無線アンテナを有する無線セルラ・ネットワークの一例が、Ｆｅｄｅｒらに対する米国特許第２００５／０１５７６７５号に記載されている。
【先行技術文献】
【特許文献】
【０００８】
【特許文献１】米国特許第２００５／０１５７６７５号
【発明の概要】
【発明が解決しようとする課題】
【０００９】
したがって、本発明の一目的は、簡単な移動局測位方法を提供することである。
【課題を解決するための手段】
【００１０】
本発明は、
−  移動局がセルラ・ネットワークを介して送信するためにアップリンク送信リソースをどの時間間隔中に割り当てられたかを示す第１の時間シーケンスを構築するステップと、
−  リモート・アンテナごとに、このリモート・アンテナによって同時に受信されたアップリンク送信の総出力強度を示す第２の時間シーケンスを構築するステップと、
−  第１の時間シーケンスと、第２の時間シーケンスの少なくとも１つとを相関させるステップであって、第１の時間シーケンスおよび第２の時間シーケンスは時間的に同期されるステップと、
−  相関の結果から移動局を測位するステップ（５８）と
を備える移動局測位方法を提供する。
【００１１】
アップリンク送信リソースが特定の移動局にどの時間に割り当てられたかを判定することは容易である。したがって、第１の時間シーケンスは構築するのが容易である。また、各リモート・アンテナによって受信された総無線出力強度を測定するのも容易である。したがって、第２の時間シーケンスは構築するのが容易である。したがって、上記の測位方法は実施するのが簡単である。
【００１２】
上記の端末の諸実施形態は、以下の特徴の１つまたはいくつかを備えてよい。
−  移動局の位置は、第２の時間シーケンスが第１の時間シーケンスと最も相関しているリモート・アンテナによって定義された無線カバレッジ・ゾーンを選択することにより得られる。
−  移動局の位置は、特定の分散リモート・アンテナの無線カバレッジ・ゾーンより厳密に小さい解像度によって移動局の位置を得るために、対応する相関結果を有するそれぞれ異なるリモート・アンテナの位置の加重の結果として生じる。
【００１３】
端末の上記の諸実施形態は、以下の利点を提示する。移動局を測位するためにいくつかの相関結果を使用することは、無線カバレッジ・ゾーンより良い位置解像度を可能にする。
【００１４】
本発明はまた、無線セルラ・ネットワークのセルの無線カバレッジ・ゾーンの中の移動局の測位のシステムに関し、システムは、
−  移動局がセルラ・ネットワークを介して送信するためにアップリンク送信リソースをどの時間間隔中に割り当てられたかを示す第１の時間シーケンスを構築することができるアップリンク割当モニタと、
−  リモート・アンテナごとに、このリモート・アンテナによって同時に受信されたアップリンク送信の総出力強度を示す第２の時間シーケンスを構築することができるアップリンク出力モニタと、
−  第１の時間シーケンスと、第２の時間シーケンスの少なくとも１つとの間の相関の結果から移動局を測位することができる位置測定ユニット・エージェントであって、第１の時間シーケンスおよび第２の時間シーケンスは時間的に同期される位置測定ユニット・エージェントと
を備える。
【００１５】
本発明はまた、
−  移動局と、
−  複数の分散リモート・アンテナを有する分散アンテナ・システムであって、各リモート・アンテナは無線カバレッジ・セルの無線カバレッジ・ゾーンを定義する分散アンテナ・システムと、
○  無線カバレッジ・セルを定義する基地局であって、基地局はローカル・ネットワークを介してリモート・アンテナにリンクされた少なくとも１つのトランシーバを含み、トランシーバは、セルラ・ネットワークを介して受信されたデータをリモート・アンテナにマルチキャストまたはブロードキャストすることができ、その結果、全く同じデータが複数のリモート・アンテナによって無線で送信される基地局と
を備える無線セルラ・ネットワークであって、
−  無線セルラ・ネットワークは、移動局がセルラ・ネットワークを介して送信するためにアップリンク送信リソースをどの時間間隔中に割り当てられたかを示す第１の時間シーケンスを構築することができるアップリンク割当モニタを備え、
−  各リモート・アンテナは、そのアンテナによって同時に受信されたアップリンク送信の総出力強度を示す第２の時間シーケンスを構築することができるアップリンク出力モニタを備え、
−  ネットワークは、第１の時間シーケンスと、第２の時間シーケンスの少なくとも１つとの間の相関の結果から移動局を測位することができる位置測定ユニット・エージェントであって、第１の時間シーケンスおよび第２の時間シーケンスは時間的に同期される位置測定ユニット・エージェントを備える、
無線セルラ・ネットワークに関する。
【００１６】
上記の無線セルラ・ネットワークは、建物の中に広がる無線カバレッジ・セルを構築することを可能にする。
【００１７】
本発明のこれらおよび他の態様は、以下の説明、添付の図面および特許請求の範囲から明らかになるであろう。
【図面の簡単な説明】
【００１８】
【図１】基地局、分散リモート・アンテナ・システムおよび移動局測位システムを有する無線セルラ・ネットワークの概略図である。
【図２】図１の無線セルラ・ネットワークのセルの無線カバレッジ・ゾーンの中の移動局の測位の方法の流れ図である。
【図３】図１の無線セルラ・ネットワークにおいて移動局の位置がどのように判定されるかを例示するために使用される行列である。
【図４】図１の無線セルラ・ネットワークにおいて移動局の位置がどのように判定されるかを例示するために使用される行列である。
【図５】図１の無線セルラ・ネットワークにおいて移動局の位置がどのように判定されるかを例示するために使用される行列である。
【００１９】
諸図面では、同じ参照数字は同じ要素を示すために使用される。
【００２０】
以下の説明では、当業者によってよく知られている機能または構成は、詳細には説明されない。
【発明を実施するための形態】
【００２１】
図１は、広域無線セルラ・ネットワーク２を示す。以下では、例示のためだけに、ＣＤＭＡ（符号分割多元接続）ネットワークの特定の場合における説明が行われる。
【００２２】
ネットワーク２は、コア・ネットワーク４に接続された多くの基地局を有する。
【００２３】
図１では、簡単にするために、１つの基地局６だけが示されている。基地局６は、リンク８を介してコア・ネットワーク４に接続される。
【００２４】
基地局６は、建物１６の各フロア１０乃至１４にわたって広がる無線カバレッジ・セルを生成するように設計される。この目的のために、基地局６は分散アンテナ・システム７に接続される。例えば、基地局６およびシステム７は、米国特許第２００５／０１５７６７５号の教示によって構築される。したがって、米国特許第２００５／０１５７６７５号においてすでに開示されている要素は、詳細には説明されない。
【００２５】
基地局６は、主に、
１）コア・ネットワーク４のその他の構成要素（例えば無線ネットワークコントローラ（ＲＮＣ））とインターフェースするためのネットワーク・インターフェース２０と、
２）着信および発信メッセージ・トラフィックを符号化およびデコードするためのＣＤＭＡモデム・ユニット（ＣＭＵ）２２と、
３）ＣＤＭＡモデム・ユニット２２に接続されたトランシーバ２４と
を備える。
【００２６】
ネットワーク・インターフェース２０、ＣＭＵ２２およびトランシーバ２４は、ボックス３８の中に入れられたデジタル・シェルフに保持される。ボックス３８は、建物１６の中に、または代替としてその建物の外部に、物理的に配置されてよい。ＣＭＵ２２は、インターフェース２０にリンクされる。
【００２７】
システム７は、
１）トランシーバ２４に有線接続された高速データ・ネットワーク２６と、
２）ネットワーク２６に有線接続された、本明細書では無線ディストリビュータ／アグリゲータ（ＲＤＡ）２８と呼ばれるスイッチ／サミング・ノードと、
３）ＲＤＡ２８に有線接続された、本明細書ではリモート無線ヘッド（ＲＲＨ）３０〜３４と呼ばれる複数の分散リモート・アンテナと、
４）移動局３６と
を含む。
【００２８】
例えば、ネットワーク２６は、ギガビット・イーサネット・ネットワークである。
【００２９】
各ＲＲＨ３０〜３４は、ネットワーク・インターフェース装置、タイミングおよび周波数同期装置、信号処理要素、出力増幅器、ならびに無線で無線信号を送信するための１つまたは複数のアンテナを有する。ＲＲＨ３０〜３４は、それぞれフロア１０〜１４上に配置され、その結果、各ＲＲＨによって生成された各無線カバレッジ・ゾーンがそれぞれのフロアに対応する。
【００３０】
例えば、移動局３６は、携帯電話のようなモバイル・ユーザまたはモバイル端末である。
【００３１】
基地局６はまた、移動局測位システムを含む。このシステムは
−  各ＲＲＨの中に入れられたアップリンク出力モニタ（ＵＰＭ）４０と、
−  例えばボックス３８の中に入れられたアップリンク割当モニタ（ＵＡＭ）４２と、
−  例えばボックス３８の中に入れられた位置測定ユニット・エージェント（ＬＭＵＡ）４４と
を有する。
【００３２】
ＵＰＭ４０は、時間間隔中に、アンテナがインストールされているＲＲＨのアンテナを介して受信されたアップリンク送信の総出力強度を測定する。これらの測定は、いくつかの連続する時間間隔上で実行され、時間シーケンスＳ２ｊに格納される。シーケンスＳ２ｊは、測定された出力強度の進化を時間間隔の関数として示す。インデックスｊはＲＲＨを識別する。各シーケンスＳ２ｊは、ＲＲＨ識別子がそれから構築されたＲＲＨのＲＲＨ識別子に関連付けられる。ＲＲＨ３０乃至３４は、それぞれ識別子ｒｒｈ１乃至ｒｒｈ５に対応する。
【００３３】
ＵＡＭ４２は、セル内の移動局ごとに、時間シーケンスＳ１ｉを構築する。シーケンスＳ１ｉは、アップリンク送信リソースがこの移動局にどの時間間隔中に割り当てられたかを示す。インデックスｉは移動局を識別する。各シーケンスＳ１ｉは、このシーケンスがそのために構築された移動局の識別子に関連付けられる。例えば、ＵＡＭ４２は、移動局を識別するためにＴＭＳＩ（一時モバイル加入者識別）またはＩＭＳＩ（国際モバイル加入者識別）を使用する。
【００３４】
例えば、ＵＡＭ４２は、集中型リソース割当モジュール（図示せず）に収集されたデータから時間シーケンスＳ１ｉを構築する。通常、送信すべきトラフィック・データを有する移動局は、集中型リソース割当モジュールへのリソースの割当を必要とする。集中型リソース割当モジュールは、それぞれ異なる移動局からの複数のリソース割当要求およびリソース割当要求メッセージ（すなわち、ユーザ・タイプ）に含まれた特定のパラメータを考慮に入れることにより、移動局にリソースを割り当てる。
【００３５】
一般的用語「リソース」は、本発明の枠組み内では、無線リソース、すなわち、無線局が無線ネットワークと通信するために保持される周波数チャネルおよび／またはフレームのタイム・スロットのどちらかと理解されたい。周波数チャネル、それぞれタイム・スロットは、通常、ＦＤＭＡ、それぞれＴＤＭＡネットワークにおいて使用されるリソースである。リソースは、ＣＤＭＡネットワークにおける符号でよく、周波数チャネル、タイム・スロットおよび符号の組合せでもよい。
【００３６】
シーケンスＳ１ｉおよびＳ２ｊは時間的に同期される。例えば、時間原点は、全ての時間シーケンスにとって同じである。この目的のために、ＵＡＭ４２および各ＵＰＭ４０は、内蔵同期クロックを備えてよい。クロック同期は、ネットワーク２６を介してのデータ・パケット交換の結果として生じる。
【００３７】
ＬＭＵＡ４４は、時間シーケンスＳ１ｉおよびＳ２ｊから移動局の位置を判定する。ＵＰＭ４０、ＵＡＭ４２およびＬＭＵＡ４４に関するさらなる詳細が図２を参照しながら提供される。
【００３８】
次に、基地局６の一般的動作が説明される。
【００３９】
ダウンリンク信号では、符号化されたセルラ無線信号を無線で受信および送信するのではなく、トランシーバ２４が、モバイル・ユーザ符号化ベースバンド信号を高速データ・ネットワーク２６を介してＲＤＡ２８に、それに続いて全てのリモート無線ヘッドに転送するように機能し、そこでベースバンド信号が無線周波数に変換され、次いで、移動局３６などのメッセージ受信側に無線でブロードキャストされる。
【００４０】
具体的には、ダウンリンク上で、信号が建物１６内の移動局３６宛である場合は、例示的トランシーバ２４は、ＣＭＵ２２によって生成されたデジタルIベースバンド信号およびＱベースバンド信号を受信し、それらをバッファに格納する。バッファが予め決められたレベルに達するか、または予め決められた量の時間が経過した後は、トランシーバ２４は、宛先アドレスを有するそれらの信号のイーサネット・パケットを形成する。通常、宛先アドレスはブロードキャスト・アドレスであり、その結果、全てのＲＲＨは同じ信号を受信する。
【００４１】
パケットは、次いで、ネットワーク２６を介してトランシーバ２４からネットワーク２６を介してＲＤＡ２８に送信される。ダウンリンク信号では、ＲＤＡは本質的に複数のポートを有するスイッチとして働く。ＲＤＡ上の各ポートは、メッセージのルーティングのためにアドレス可能な無線カバレッジ・ゾーンに対応する。例えば、ＲＤＡ２８の各ポートは、別個の無線カバレッジ・ゾーンとして識別される。本明細書では、各無線カバレッジ・ゾーンは、建物１６の中の無線カバレッジのエリアに対応するＲＲＨ３０〜３４などの１つのリモート無線ヘッド（ＲＲＨ）に対応する。
【００４２】
ＲＤＡ２８がブロードキャスト・アドレスを有するトランシーバ２４からメッセージを受信した場合、ＲＤＡ２８は、対応するＲＲＨへのさらなる普及のために全てのポートにパケットのコピーを転送する。各宛先ＲＲＨのネットワーク・インターフェース装置は、ネットワークからパケットを受信し、パケットからヘッダを除去する。次いで、Ｉベースバンド信号およびＱベースバンド信号はタイミングおよび同期装置に転送され、そこにこれらの信号がバッファされる。次いで、これらの信号は処理され、ＲＦフォーマットに変換され、出力増幅器にプレイアウトされ、アンテナを介して無線で移動局３６にブロードキャストされる。したがって、移動局は、複数の物理的に分離されたアンテナから同じ信号を受信する可能性がある。移動局は、これらの信号をそれらがあたかも無線反射であるかのように扱うことができるだけであり、受信された無線信号全体のどの部分にどの特定のアンテナが関連付けられているかを識別することができない。そのような場合には、基地局トランシーバまたは移動局のどちらかによって行われたいかなる範囲測定も無意味であるはずであり、移動局の位置の信頼できる推定を行うために使用されることは不可能である。
【００４３】
同様に、アップリンク上では、移動局３６がメッセージを送信する場合、それらのメッセージは、さらなる処理ならびにネットワーク・インターフェース２０および無線ネットワーク４を介しての配信のために、ＲＲＨ３０〜３４、ＲＤＡ２８およびネットワーク２６を介してトランシーバ２４およびＣＭＵ２２に送信される。しかし、アップリンク上では、ＲＤＡ２８は、サミング・ノードとして働き、アップリンク・データ・パケットを集約する。
【００４４】
次に、それぞれ識別子ＩＤ０１乃至ＩＤ０５を有する５つの移動局の測位の特定の場合における移動局測位システムの動作が図２を参照しながら説明される。
【００４５】
最初に、ステップ５０において、ＵＡＭ４２は５つの移動局の１つごとに時間シーケンスＳ１ｉを構築する。
【００４６】
次いで、例えば、ＵＡＭ４２は５つのシーケンスＳ１ｉを集約して表５２（図３）を形成する。表５２の第１の行内の数字１乃至４は時間間隔識別子である。この簡略化された例では、各時間シーケンスＳ１ｉは、これらの４つの連続した時間間隔にわたって構築されるだけである。第１の列は、移動局識別子ＩＤ０１乃至ＩＤ０５を含む。表５２のセルは、アップリンク送信リソースが対応する時間間隔中に移動局に割り当てられた場合は「１」を含む。そうでない場合は、セルは何も含まない。例えば、識別子ＩＤ０１に関連付けられた行は以下のように読める。
−  アップリンク送信リソースは、時間間隔「１」および「３」中に移動局ＩＤ０１に割り当てられ、
−  アップリンク送信リソースは、時間間隔「２」および「４」中には移動局ＩＤ０１に割り当てられなかった。
【００４７】
ステップ５０の終りに、表５２はＬＭＵＡ４４に送信される。
【００４８】
ステップ５０と並行して、ステップ５４において、各ＵＰＭ４０はそれ自体のシーケンスＳ２ｊを構築する。ステップ５４の終りに、各シーケンスＳ２ｊはＲＤＡ２８およびネットワーク２６を介してＬＭＵＡ４４に送信される。
【００４９】
例えば、ＬＭＵＡ４４がＵＡＭ４２および各ＵＰＭ４０からデータを受信した後は、ＬＭＵＡ４４は受信されたシーケンスＳ２ｊを集約して表５６（図４）を形成する。表５６の第１の行は、表５２の第１の行と同様であり、時間間隔識別子「１」乃至「４」を含む。第１の列は、各ＲＲＨ３０〜３４の識別子ｒｒｈ１乃至ｒｒｈ５を含む。表５６のセルは、対応する時間間隔中に測定された無線出力強度の値を含む。例えば、識別子ｒｒｈ１に関連付けられた行は以下のように読める。時間間隔「１」、「２」、「３」および「４」中にＲＲＨ３０によって受信されたアップリンク送信の出力強度は、それぞれ「１．８」、「０．９」、「０．７」および「０」である。ここで、空のセルはゼロを意味する。
【００５０】
続いて、ステップ５８において、ＬＭＵＡ４４は、表５２および５６に含まれているデータから移動局を測位する。
【００５１】
最初に、動作６０では、ＬＭＵＡ４４は各シーケンスＳ１ｉと各シーケンスＳ２ｊとの間の相関を計算する。この目的のために、ＬＭＵＡ４４は表５２および５６に含まれているデータを使用する。例えば、識別子ＩＤ０２に関連付けられたシーケンスＳ１ｉおよび識別子ｒｒｈ１に関連付けられたシーケンスＳ２ｊの相関の結果Ｒ１ｉは、以下の関係式によって計算される。
Ｒ１ｉ＝１＊１．８＋０＊０．９＋１＊０．７＋０＊０＝２．５
【００５２】
動作６０の終りに得られた相関結果Ｒｉｊは、表６２（図５）に示されている。表６２の第１の行および第１の列は、それぞれ移動局識別子ＩＤ０１乃至ＩＤ０５およびＲＲＨ識別子ｒｒｈ１乃至ｒｒｈ５を含む。セルはそれぞれ異なる相関結果Ｒｉｊを含む。例えば、シーケンスＳ１ｉとＳ２ｉとの間の相関の結果Ｒｉｊは、それぞれ識別子ＩＤ０１およびｒｒｈ１に関連付けられた行と列との交差点のセルに格納される。
【００５３】
したがって、動作６４では、ＬＭＵＡ４４は、移動局ごとに、シーケンスＳ２ｉのどの１つがこの移動局識別子に関連付けられたシーケンスＳ１ｉに最も相関しているかを判定する。
【００５４】
例えば、表６２に例示されているように、Ｓ１ｉに最も相関しているのはシーケンスＳ２ｉである。したがって、ＬＭＵＡ４４は、ＲＲＨ３０が移動局ＩＤ０１から最も近いＲＲＨであることを立証する。このことから、結果としてこの移動局は建物１６の第１のフロア１０上にある可能性があることになる。
【００５５】
時間シーケンスＳ１ｉは、移動局ｉが無線信号を１つのＲＲＨｉにその時間間隔中に送信する時間間隔を表すことを理解されたい。したがって、移動局ｉがＲＲＨｉに近い場合は、時間シーケンスＳ１ｉおよびＳ２ｉは強く相関していることを期待することができる。逆に、移動局ｉがＲＲＨｉの無線カバレッジ・ゾーン内にない場合は、Ｓ１ｉとＳ２ｉとの間の相関は低いはずである。
【００５６】
表６２では、各列において、最高の相関結果が強調されている。これは、移動局のそれぞれ１つの推定位置を示す。この例では、移動局ＩＤ０１およびＩＤ０２は、第１のフロア上にある。移動局ＩＤ０３は、第３のフロア上にある。移動局ＩＤ０４およびＩＤ０５は、第５のフロア上にある。
【００５７】
他の多くの実施形態が存在する。例えば、上記の例は、ＣＤＭＡネットワークにおける本発明の一実装形態を具体的に議論している。しかし、本明細書に記載の本発明の原理は、ＧＳＭ、ＵＭＴＳ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，Ｉｎｃ．）または他の無線通信ネットワークに等しく適用可能であることを当業者は理解するであろう。実際、上記の教示は、セルが複数の分散リモート・アンテナの使用によって複数の無線カバレッジ・ゾーンに分割されているいかなるセルラ・ネットワークにも適用することができる。例えば、上記の教示は、米国特許第２００５／Ｏ１５７６７５号の従来技術に開示されている分散アンテナ・システム（ＤＡＳ）に適用することができる。ＤＡＳシステムでは、ＵＰＭは各建物内アンテナに実装され、ＵＡＭおよびＬＭＵＡは屋外基地局に実装される。上記の測位システムはまた、出力測定が各受信アンテナで実行される場合、ＲＦケーブル、アンテナおよび増幅器に基づいて純粋にアナログ分散アンテナ・システムに実装することができる。
【００５８】
ＵＡＭまたはＬＭＵＡは、コア・ネットワークに配置されている装置のような他のセルラ・ネットワーク装置に実装することができる。
【００５９】
ＵＡＭおよびＬＭＵＡはまた、分散アンテナ・システム７に実装することができる。したがって、好ましくは、ＵＡＭ４２は基地局のダウンリンク制御チャネル（１つまたは複数）のモニタリングおよびデコーディングによって時間シーケンスＳ１ｉを構築する。したがって、ＵＡＭ４２は、いかなる種類の集中型リソース割当モジュールにも接続する必要がない。
【００６０】
ボックス３８のデジタル・シェルフ内の物理スロットに直接接続するのではなく、トランシーバ２４は、デジタル・ポート、無線周波数（ＲＦ）ポート、または中間周波数（ＩＦ）ポートに接続する別個の構成要素でよい。そのような構成では、トランシーバは、前述のようにデジタル符号化ベースバンド信号を受信することができる、あるいは代替として、ＲＦ（無線周波数）信号またはＩＦ（中間周波数）信号を受信し、次いで、それらの信号をバッファリングおよびパケット化のためにデジタル形式に変換することができる。
【００６１】
いくつかの場合には、トランシーバと分散リモート・アンテナ・システムとの間のインターフェースは、基地局のＲＦ（無線周波数）コネクタを介してであり、したがって、トランシーバは、トランシーバが１セットの分散リモート・アンテナをサポートするために使用されていることに気づいていない。この後者の場合には、ネットワーク２６およびＲＤＡ２８は省略され、各ダウンリンク信号は全てのリモート・アンテナによってブロードキャストされる。
【００６２】
当業者は理解するであろうように、ＲＤＡは通常のデータ・スイッチのように柔軟に接続することが可能であり、複数のＲＤＡをカスケード方式で使用することができる。
【００６３】
通常、各基地局は、複数のトランシーバ２４を有し、そのトランシーバ２４はそれぞれ無線カバレッジ・セクタに対応する。そのような状況では、各セクタは、それぞれの分散アンテナ・システムを対応するトランシーバに接続することにより複数の無線カバレッジ・ゾーンに分割することができる。それぞれ異なる基地局トランシーバに接続されたそれぞれ異なる分散アンテナ・システムは、相互に独立している。
【００６４】
特定のフロアにカバレッジを提供するために必要なＲＲＨの数は、例示として、ＲＲＨの近くの障害物（例えば壁または他のそのような障害物）の数などの環境要因によって決まることになることを当業者は理解するであろう。
【００６５】
シーケンスＳ１ｉとＳ２ｊとの間の相関は、上記の詳細な説明において使用された関係式以外に他の多くの関係式を使用することにより計算することができる。
【００６６】
同じ時間シーケンスＳ１ｉのために得られた相関結果を結合することによって、より高い位置解像度が実現される。例えば、移動局の位置は、以下の関係式から推定することができる。
【００６７】
【数１】
2011517375.tif 000003
式中、
−  ＬＭＳは移動局の位置の座標推定値であり、
−  ＬＲＲＨｊは識別子ｒｒｈｊに対応するＲＲＨの座標であり、
−  αｊは、重み、この移動局に関連付けられたシーケンスＳ１ｉとｒｒｈｊに関連付けられたシーケンスＳ２ｊとの間の相関の結果によって決まる値である。
【００６８】
移動局の位置を判定するためにそれぞれ異なる相関結果をそれらの間で比較することは必要がない。他の実施形態では、それぞれ異なる相関結果は予め決められた閾値Ｓａと比較され、相関が閾値Ｓａより大きい場合は、移動局は対応するＲＲＨの無線カバレッジ・ゾーン内にある。
【００６９】
ブロードキャスト・アドレスの代わりにマルチキャスト・アドレスを使用することができる。マルチキャスト・アドレスは特定のセットのＲＲＨに対応し、その結果、マルチキャスト・アドレスが使用された場合、全てのＲＲＨが信号を受信するとは限らない。
【図１】
2011517375.tif 000004
【図２】
2011517375.tif 000005
【図３】
2011517375.tif 000006
【図４】
2011517375.tif 000007
【図５】
2011517375.tif 000008
【国際調査報告】
2011517375.tif 000009
2011517375.tif 000010
2011517375.tif 000011